(57)【特許請求の範囲】
【請求項１】
略球状の果実を収納する果実用収納容器であって、
複数行及び複数列に並べて果実を少なくとも４個以上収納する容器本体と、該容器本体内に収納された果実の上に該果実の個数よりも少ない個数の果実を載置して収納するための蓋体とを備え、
容器本体は、底板部と、この底板部の外周縁から上方へ立ち上げられ上端に開口縁を有する側板部とを備え、
前記蓋体は、前記容器本体の開口縁に重ねられる合わせ板部と、この合わせ板部の内側縁から上方に立ち上げられ前記容器本体内に収納された果実の上に載置される果実の移動を阻止する縦板部とこの縦板部の上端縁を閉塞する天板部とを備え、
前記縦板部は、上方に向かって緩やかに立ち上がる下側部分と、該下側部分の上端縁から該下側部分よりも大きな角度で立ち上がる上側部分とを備えていることを特徴とする果実用収納容器。
【請求項２】
前記蓋体の天板部が、前記容器本体の底板部よりも小さな面積を有する略矩形状に構成され、複数個を上下方向で積み重ね可能に構成すべく、前記容器本体の底板部に、前記蓋体の天板部が嵌合する凹部を備え、該嵌合状態で該底板部における凹部の周縁部の底面を当接支持すべく、該天板部の四隅に上方に突出する脚部を備えていることを特徴とする請求項１に記載の果実用収納容器。
【請求項３】
前記容器本体が、平面視において略長方形に構成され、前記天板部が、前記容器本体の幅よりも狭い幅を有し、かつ、該容器本体の長手方向に長い平面視において略長方形に構成され、該天板部の一対の長辺の長手方向中間部それぞれに長手方向中央部側ほど幅が狭くなるよう、内側に凸状に湾曲する幅狭部を備えていることを特徴とする請求項１又は２に記載の果実用収納容器。
【請求項４】
互いに隣り合うよう前記容器本体内に収納された４個の果実の中心を行方向及び列方向において直線で結ぶことにより形成される矩形の中心部上に、載置する果実の中心を位置させることを特徴とする請求項１〜３のいずれか１項に記載の果実用収納容器。
【発明の詳細な説明】
【技術分野】
【０００１】
本発明は、みかん、梨、りんご、桃等の略球状の果実を収納するための果実用収納容器に関する。
【背景技術】
【０００２】
従来から、収穫した果実の所定数が収納された果実用収納容器が、市場やスーパーマーケット等の販売場所まで運搬される。運搬された果実用収納容器が店頭に陳列されて販売される。特に、商品単価の高いハウスみかんにおいては、果実用収納容器に上下２段に収納することによって、立体感を出すことでボリューム感を出すようにしている。これにより、商品の購買意欲を高めるようにしている。そして、果実を収納する果実用収納容器が、所定の深さを有する容器本体と、所定の高さを有する蓋体とから構成され、容器内に収納した果実を洗浄、燻蒸することができるように容器本体及び蓋体に多数の通孔を形成している。この果実用収納容器の容器本体に、所定数の果実を収納し、収納された下段の果実に対して上段となる果実を載置する。これら上段の果実が、容器本体から上方に食み出した状態になっているため、蓋体を閉じることによって、上段の果実を蓋体で覆うことができる（例えば特許文献１参照）。
【先行技術文献】
【特許文献】
【０００３】
【特許文献１】実用新案登録第３１７２１８１号公報
【発明の概要】
【発明が解決しようとする課題】
【０００４】
上記特許文献１の果実用収納容器は、内部に収納されている果実の洗浄、燻蒸を十分に行うことができるように、収納される果実の収納スペースよりも、大きな内部空間を備えている。そのため、上段に位置する果実が、運搬時に不測に移動して、蓋体の内側に衝突してしまう。その結果、果実用収納容器内の果実が早期に傷んでしまうという不都合が発生していた。
【０００５】
しかも、運搬時に上段の果実が下段の果実に対して移動したままでいると、容器毎に上段に位置する果実の位置が異なってしまうことがある。そのため、陳列時に見栄えが悪くなってしまい、改善の余地があった。
【０００６】
本発明が前述の状況に鑑み、解決しようとするところは、運搬時の傷みを抑制することができるだけでなく、容器内に収納される果実の見栄えが悪くなることを抑制することができる果実用収納容器を提供することにある。
【課題を解決するための手段】
【０００７】
本発明の果実用収納容器は、前述の課題解決のために、略球状の果実を収納する果実用収納容器であって、複数行及び複数列に並べて果実を少なくとも４個以上収納する容器本体と、該容器本体内に収納された果実の上に該果実の個数よりも少ない個数の果実を載置して収納するための蓋体とを備え、容器本体は、底板部と、この底板部の外周縁から上方へ立ち上げられ上端に開口縁を有する側板部とを備え、前記蓋体は、前記容器本体の開口縁に重ねられる合わせ板部と、この合わせ板部の内側縁から上方に立ち上げられ前記容器本体内に収納された果実の上に載置される果実の移動を阻止する縦板部とこの縦板部の上端縁を閉塞する天板部とを備え、前記縦板部は、上方に向かって緩やかに立ち上がる下側部分と、該下側部分の上端縁から該下側部分よりも大きな角度で立ち上がる上側部分とを備えていることを特徴としている。
【０００８】
かかる構成によれば、容器本体内に収納された果実の上に載置される上段に位置する果実の移動が、蓋体を構成する縦板部によって阻止される。しかも、上方に向かって緩やかに立ち上がる下側部分によって、果実の大きさのバラツキを吸収することができながらも、果実が移動可能となるスペースを抑えることができる。また、下側部分の上端縁から下側部分よりも大きな角度で立ち上がる上側部分を備えていることから、上段に位置する果実が移動することを、下側部分よりも大きな角度で立ち上がっている上側部分で確実に阻止することができる。
【０００９】
また、本発明の果実用収納容器は、前記蓋体の天板部が、前記容器本体の底板部よりも小さな面積を有する略矩形状に構成され、複数個を上下方向で積み重ね可能に構成すべく、前記容器本体の底板部に、前記蓋体の天板部が嵌合する凹部を備え、該嵌合状態で該底板部における凹部の周縁部の底面を当接支持すべく、該天板部の四隅に上方に突出する脚部を備えていてもよい。
【００１０】
上記のように、複数個の容器を積み重ねたときに、上段に位置する容器の底板部の凹部が下段に位置する容器の天板部に嵌合すると同時に、下段に位置する容器の天板部の四隅に備えた脚部が、上段に位置する容器の底板部の凹部の周縁部の底面を当接支持する構成であれば、特に運搬時の振動によって上段に位置する容器が下段に位置する容器に対して位置ずれすることを回避することができる。
【００１１】
また、本発明の果実用収納容器は、前記容器本体が、平面視において略長方形に構成され、前記天板部が、前記容器本体の幅よりも狭い幅を有し、かつ、該容器本体の長手方向に長い平面視において略長方形に構成され、該天板部の一対の長辺の長手方向中間部それぞれに長手方向中央部側ほど幅が狭くなるよう、内側に凸状に湾曲する幅狭部を備えていてもよい。
【００１２】
上記のように、天板部の一対の長辺の長手方向中間部それぞれに長手方向中央部側ほど幅が狭くなるよう、内側に凸状に湾曲する幅狭部を備えていれば、天板部の長手方向両側に載置している果実が長手方向中央部へ移動することを、幅狭部によって確実に阻止できる。
【００１３】
また、本発明の果実用収納容器は、互いに隣り合うよう前記容器本体内に収納された４個の果実の中心を行方向及び列方向において直線で結ぶことにより形成される矩形の中心部上に、載置する果実の中心を位置させてもよい。
【００１４】
上記のように、互いに隣り合うよう前記容器本体内に収納された４個の果実の中心を行方向及び列方向において直線で結ぶことにより形成される矩形の中心部上、つまり４個の果実の外周縁同士間に形成される隙間に、載置する果実を入り込ませることができるので、載置する果実の移動を更に抑えることができる。
【発明の効果】
【００１５】
本発明によれば、容器本体内に収納された果実の上に載置される果実の移動を縦板部により阻止することによって、運搬時の傷みを抑制することができるだけでなく、容器内に収納される果実の見栄えが悪くなることを抑制することができる果実用収納容器を提供することができる。
【図面の簡単な説明】
【００１６】
【図１】本発明の果実用収納容器の蓋体を容器本体に対して開放状態にした平面図である。
【図２】本発明の果実用収納容器の蓋体を容器本体に対して開放状態にした正面図である。
【図３】図２のＡの部分の拡大図である。
【図４】容器本体の側面図である。
【図５】蓋体の側面図である。
【図６】本発明の果実用収納容器を上下方向で積み重ねた状態を示す正面図である。
【図７】本発明の果実用収納容器に８個のみかんを収納した状態を示す平面図である。
【図８】（ａ），（ｂ），（ｃ）は果実の収納状態を示す概略平面図である。
【発明を実施するための形態】
【００１７】
以下、本発明に係る果実用収納容器（以下において単に容器と称する）の実施形態について、図面を参照しつつ説明する。この容器１は、合成樹脂シートによって成型され、図１〜図７に示すように、略球状の果実、例えばＳサイズのハウスみかんＥを収納するための容器である。具体的には、容器１は、長方形状の容器本体２と、この容器本体２に連結部材３により連結された長方形状の蓋体４とを備えている。以下において、容器本体２の長手方向を行方向とし、容器本体２の短手方向を列方向として説明する。尚、収納する果実としては、ハウスみかんＥの他、梨、りんご、桃等の各種の略球状の果実であれば、どのようなものでもよい。
【００１８】
容器本体２は、底板部５と、この底板部５の外周縁から上方に立ち上げられ上端に開口縁６Ａを有する側板部６とを備えている。容器本体２には、図７に示すように、２行３列に格子状（マトリクス状）に並べて合計６個のハウスみかん（Ｓサイズ）Ｅを収納することができる。
【００１９】
底板部５は、中心部に上方に突出する長方形状の凹部５Ｈが形成され、この凹部５Ｈに後述する天板部１５が嵌合する。側板部６は、容器本体２の短手方向両側に位置する前後板部７，８と、容器本体２の長手方向両側に位置する左右板部９，１０とを備えている。そして、それら４つの板部７，８，９，１０が、上方側ほど外側に位置する傾斜板部に構成されている。４つの板部７，８，９，１０には、図１に示すように、上端から底板部５の外周縁まで延びる長さの補強用リブ７Ｒ，８Ｒ，９Ｒ，１０Ｒ（図２、図４、図６では一部省略している）が多数形成されている。各補強用リブ７Ｒ，８Ｒ，９Ｒ，１０Ｒは、外側に突出し、上端から下端まで同一幅の細長い突起に構成されている。
【００２０】
また、側板部６の上端には、横外側に突出する板状の前記開口縁６Ａが形成されている。この開口縁６Ａの外周縁には、下方へ延びる縦板部１１が形成され、その縦板部１１の下端から横（水平）方向外側に突出する板状のフランジ部１２が周方向全域に亘って形成されている。図３に示すように、フランジ部１２における容器本体２の短手方向両端部のうちの一方の端部とこれに対応する後述の蓋体４のフランジ部２１の端部とが連結されて折り曲げ可能な前記連結部材３を構成している。
【００２１】
開口縁６Ａにおける連結部材３とは反対側の端部の長手方向両端部に、後述の蓋体４に形成された凸部１３Ｔ，１３Ｔが係止する係止解除可能な凹部６Ｈ，６Ｈを形成している。開口縁６Ａにおける連結部材３とは反対側の端部の長手方向中央部には、下方に凹んだ凹部６ａを形成し、かつ、これに対応する蓋体４にも上方に凹んだ凹部４ａを形成することによって、両凹部６ａ，４ａ間に蓋体４が閉じられた容器１内に発生したハウスみかんＥのガスを外部へ排出するための隙間を構成するとともに、閉じられた蓋体４を開放するための指を入れる隙間を構成している。
【００２２】
蓋体４は、容器本体２と同様に平面視において外形寸法が略同一の大きさの長方形状に構成されている。具体的には、蓋体４は、容器本体２の開口縁６Ａに重ねられる合わせ板部１３と、この合わせ板部１３の内側縁から上方に立ち上げられ、容器本体２内に収納されたハウスみかんＥの上に載置されるハウスみかんＥの移動を阻止する縦板部１４と、この縦板部の上端縁を閉塞する天板部１５とを備えている。
【００２３】
前記縦板部１４は、蓋体４の短手方向両側に位置する一対の前後縦板部１６，１７と、蓋体４の長手方向両側に位置する一対の左右縦板部１８，１９とを備えている。
【００２４】
各縦板部１６，１７，１８，１９は、上方に向かって緩やかに立ち上がり、かつ、内側に凸となる第１湾曲面を有する下側部分１６ａ，１７ａ，１８ａ，１９ａと、下側部分１６ａ，１７ａ，１８ａ，１９ａの上端縁から第１湾曲面よりも大きな角度で立ち上がり、かつ、内側に凸となる第２湾曲面を有する上側部分１６ｂ，１７ｂ，１８ｂ，１９ｂとを備えている。ここでは、第１湾曲面の水平面に対する第１角度を、４０度の角度に設定し、第２湾曲面の水平面に対する第２角度を、６５度の角度に設定しているが、第１角度を３０度から５０度の範囲の任意の角度に設定し、第２角度を５０度〜８０度の範囲の任意の角度に設定することが好ましい。尚、下側部分１６ａ，１７ａ，１８ａ，１９ａと上側部分１６ｂ，１７ｂ，１８ｂ，１９ｂの境界部分が、図１、図２、図５、図６、図７で示すラインＬである。
【００２５】
従って、容器本体２内に収納されたハウスみかんＥの上に載置される上段に位置するハウスみかんＥの移動が、蓋体４を構成する縦板部１４の上側部分１６ｂ，１７ｂ，１８ｂ，１９ｂによって阻止される。しかも、上方に向かって緩やかに立ち上がり、かつ、内側に凸となる第１湾曲面を有する下側部分１６ａ，１７ａ，１８ａ，１９ａによって、ハウスみかんＥの大きさのバラツキを吸収することができながらも、ハウスみかんＥが移動可能となるスペースを抑えることができる。また、下側部分１６ａ，１７ａ，１８ａ，１９ａの上端縁から第１湾曲面よりも大きな角度で立ち上がり、かつ、内側に凸となる第２湾曲面を有する上側部分１６ｂ，１７ｂ，１８ｂ，１９ｂとを備えていることから、上段に位置するハウスみかんＥが移動することを、第１湾曲面よりも大きな角度で立ち上がっている上側部分１６ｂ，１７ｂ，１８ｂ，１９ｂで確実に阻止することができる。また、下側部分１６ａ，１７ａ，１８ａ，１９ａ及び上側部分１６ｂ，１７ｂ，１８ｂ，１９ｂを内側に凸となる湾曲面から構成しているから、ハウスみかんＥが下側部分１６ａ，１７ａ，１８ａ，１９ａ及び上側部分１６ｂ，１７ｂ，１８ｂ，１９ｂに当接したとしても傷むことを抑制することができる。
【００２６】
合わせ板部１３の外周縁には、上方へ立ち上がる側板部２０と、この側板部２０の上端から横外側に突出するフランジ部２１とを備えている。合わせ板部１３の連結部材３とは反対側の端部の長手方向両端に、前記凹部６Ｈ，６Ｈに係止する係止解除可能な凸部１３Ｔ，１３Ｔが形成されている。
【００２７】
蓋体４の天板部１５が、容器本体２の底板部５よりも小さな面積を有する略矩形状に構成され、複数個を上下方向で積み重ね可能に構成すべく、容器本体２の底板部５に、蓋体４の天板部１５が嵌合する前記凹部５Ｈを備えている。
【００２８】
また、容器本体２の底板部５の凹部５Ｈに蓋体４の天板部１５が嵌合した嵌合状態で、底板部５における凹部５Ｈの周縁部の底面５Ｓを当接支持すべく、天板部１５の四隅に上方に突出する脚部２２を備えている。各脚部２２は、凹部５Ｈの周縁部の底面５Ｓに当接する平面視円弧状の上端天井部２２Ａと、上端天井部２２Ａから下方に向かって緩やかな曲面を形成する側部２２Ｂと、側部２２Ｂの中心に外側に突出し上下方向に延びる縦向きの補強用の凸条部２２Ｃとを備えている。従って、図６に示すように、複数個（図では上下２個）の容器を積み重ねたときに、上段に位置する容器１の底板部５の凹部５Ｈが下段に位置する容器１の天板部１５に嵌合すると同時に、下段に位置する容器１の天板部１５の四隅に備えた脚部２２，２２，２２，２２が、上段に位置する容器の底板部５の凹部５Ｈの周縁部の底面５Ｓを当接支持する構成であれば、特に運搬時の振動によって上段に位置する容器１が下段に位置する容器１に対して位置ずれすることを回避することができる。
【００２９】
容器本体２が、平面視において略長方形に構成され、天板部１５が、容器本体２の幅よりも狭い幅を有し、かつ、容器本体２の長手方向に長い平面視において略長方形に構成され、天板部１５の一対の長辺の長手方向中間部それぞれに長手方向中央部側ほど幅が狭くなるよう、内側に凸状に湾曲する幅狭部２３，２３を備えている。従って、天板部１５の長手方向両側に載置しているハウスみかんＥ，Ｅが長手方向中央部へ移動することを、幅狭部２３，２３によって確実に阻止できる。
【００３０】
また、互いに隣り合うよう容器本体２内に収納された４個のハウスみかんＥの中心を行方向及び列方向において直線で結ぶことにより形成される矩形の中心部Ｃ上に、載置するハウスみかんＥの中心Ｒを位置させている。従って、容器本体２内に収納されているハウスみかんＥの上に１行２列の合計２個のハウスみかんＥを載置している。このように、４個のハウスみかんＥの外周縁同士間に形成される隙間に、載置するハウスみかんＥを入り込ませることができるので、載置するハウスみかんＥの移動を更に抑えることができる。
【００３１】
尚、本発明は、前記実施形態に限定されるものではなく、本発明の要旨を逸脱しない範囲で種々の変更が可能である。
【００３２】
前記実施形態では、容器１の下側に６個のハウスみかんＥを収納し、容器１の上側に２個のハウスみかんＥを収納したが、図８（ａ）に示すように、容器１の下側に８個のハウスみかんＥを収納し、容器１の上側に３個のハウスみかんＥを収納してもよいし、また、図８（ｂ）に示すように、容器１の下側に9個のハウスみかんＥを収納し、容器１の上側に４個のハウスみかんＥを収納してもよいし、また、図８（ｃ）に示すように、容器１の下側に４個のハウスみかんＥを収納し、容器１の上側に１個のハウスみかんＥを収納してもよい。要するに、容器１の下側に４個以上の任意の個数のハウスみかんＥ（果実）を収納し、容器１の上側に下側に収納した個数よりも少ない任意の個数のハウスみかんＥ（果実）を収納すればよい。特に、上側の果実の行数を、下側の果実の行数−１となる行数とし、かつ、上側の果実の列数を、下側の果実の列数−１となる列数とすることが好ましい。また、４個の果実の外周縁同士間に形成される隙間に、載置する果実を入り込ませることが好ましい。
【００３３】
また、前記実施形態では、容器を平面視において長方形状に構成したが、正方形状の他、円形や楕円形、多角形等の形状に構成してもよい。
【符号の説明】
【００３４】
１…容器、２…容器本体、３…連結部材、４…蓋体、４ａ…凹部、５…底板部、５Ｈ…凹部、５Ｓ…底面、６…側板部、６Ａ…開口縁、６Ｈ…凹部、６ａ…凹部、７，８…前後板部、９，１０…左右板部、７Ｒ，８Ｒ，９Ｒ，１０Ｒ…補強用リブ、１１…縦板部、１２…フランジ部、１３…板部、１３Ｔ…凸部、１４…縦板部、１５…天板部、１６，１７…前後縦板部、１８，１９…左右縦板部、１６Ａ，１７Ａ，１８Ａ，１９Ａ…下側部分、１６Ｂ，１７Ｂ，１８Ｂ，１９Ｂ…上側部分、１６ａ，１７ａ，１８ａ，１９ａ…第１湾曲面、１６ｂ，１７ｂ，１８ｂ，１９ｂ…第２湾曲面、２０…側板部、２１…フランジ部、２２…脚部、２２Ａ…上端天井部、２２Ｂ…側部、２２Ｃ…凸条部、２３…幅狭部
【図１】
0005849118.tif 000002
【図２】
0005849118.tif 000003
【図３】
0005849118.tif 000004
【図４】
0005849118.tif 000005
【図５】
0005849118.tif 000006
【図６】
0005849118.tif 000007
【図７】
0005849118.tif 000008
【図８】
0005849118.tif 000009